(57)【特許請求の範囲】
【請求項１】
フィルタケース(1)内に円筒状のエレメント(2)を装着し、
フィルタケース入口(1c)に供給された油をエレメント外周面(2c)からエレメント内周面(2d)に通過させて濾過したのち、
フィルタケース出口(1d)から排出するオイルフィルタにおいて、
エレメント内周面(2d)の内方に配置されてエレメント内周面(2d)からフィルタケース出口(1d)に連通する流路にストレーナ(11)を介設し、
ストレーナ下端部(11a)を固定してシールする取付部(13)とストレーナ内周面(11b)より小さい直径の中心孔(12b)とを有する底板(12)と、
底板(12)に固着されてフィルタケース内周面(1a)に当接するシール(14)とを備えたことを特徴とするオイルフィルタ。
【請求項２】
請求項１に記載のオイルフィルタにおいて、
前記底板(12)に固着されたシール(14)は、フィルタケース内周面(1a)とフィルタケース底面(1b)とに当接することを特徴とするオイルフィルタ。
【請求項３】
請求項１又は２に記載のオイルフィルタにおいて、
底板(12)は、ストレーナ下端部(11a)の取付部(13)と中心孔(12b)とを有する平面部(12a)と、
平面部(12a)の上面に当接するエレメント下端面(2b)の外径位置近傍から平面部(12a)の上方外方に延在するフランジ部(12c)とを備えたことを特徴とするオイルフィルタ。
【発明の詳細な説明】
【０００１】
【発明の属する技術分野】
本発明は、オイルフィルタに関する。
【０００２】
【従来の技術】
従来から油圧回路に設置されるオイルフィルタは、油の清浄度を維持して油圧機器の耐久性及び信頼性を保持するために一定期間経過する毎に清掃する必要がある。ところで、オイルフィルタの清掃作業は苦渋作業の一つであるためオイルフィルタの清掃作業を確実、かつ容易化することは油圧機器を用いた作業全体のコスト低減のために極めて重要であり、例えば、図４に示す「実開昭６２−１４４５１２号公報」のような技術が提案されている。
図４において、オイルフィルタ１０は次のように構成される。
ケース１内にはエレメント２が装着され、エレメント２の下端外周にはフィルタケース内周面１ａに当接するゴミ排出用リップ３が着脱自在に固定されている。フィルタケース１の上端面に締付けた蓋４とエレメント上端面２ａとの間に介設したセットばね５によりエレメント２を下方に押付けて、エレメント下端面２ｂとフィルタケース底面１ｂとの間をシールしている。
なお、エレメント２の上部にはエレメント２がゴミ等で詰まり濾過抵抗が上昇したときにエレメント２上流の油をリリーフ孔６を介してバイパスさせるリリーフ弁７が設置される。リリーフ弁７は設定ばね８により開弁圧が設定される。
【０００３】
上記構成によれば、フィルタケース入口１ｃに供給された油を円筒状のエレメント外周面２ｃからエレメント内周面２ｄに通過させて濾過し、フィルタケース出口１ｄから排出する油の清浄度を維持している。オイルフィルタ１０の清掃時にエレメント２をフィルタケース１より取出す際には、フィルタケース１の上端面に締付けた蓋４を取外した後、図５に示すように、エレメント２をフィルタケース１内から引上げる。このときに、エレメント２に設けたゴミ排出用リップ３によってフィルタケース内周面１ａとエレメント外周面２ｃとに付着した土砂やゴミ等の塵埃を一緒に掻き出して取出すことができる。このため、フィルタケース内周面１ａに付着した土砂やゴミ等の塵埃を拭き取る手間や、清掃作業による衣服や手等の汚れをなくすと共に、エレメント外周面２ｃに付着した塵埃等が落ちてフィルタケース出口１ｄ部分にある濾過後の油中に混入することを防止している。
なお、エレメント２が土砂やゴミ等の塵埃で詰まり濾過抵抗が上昇するとリリーフ弁７に作用する圧力による力が設定ばね８のばね力に打ち勝ってリリーフ弁７が開弁するため、リリーフ孔６からリリーフ弁７を介してエレメント２をバイパスしてエレメント２等のオイルフィルタ１０が保護される。
【０００４】
【発明が解決しようとする課題】
しかしながら、上記従来技術には次のような問題がある。
（１）エレメント２の交換時には圧力はなくなっており、エレメント２にゴミが詰まっていると共に、特に、低温時には油の粘性が大きくなっているためエレメント２を通過する油の濾過抵抗が大きい。このため、エレメント外周面２ｃとフィルタケース内周面１ａとの間のゴミを含んだ油がエレメント外周面２ｃからエレメント内周面２ｄへ通過し難い。従って、エレメント２の交換時にエレメント２を早く引上げると、図５にＳで示すように、エレメント外周面２ｃとフィルタケース内周面１ａとの間のゴミを含んだ油が、ゴミ排出用リップ３で掻き上げられてフィルタケース１外に排出されてフィルタケース１の外回りが汚れる。
（２）エレメント２の交換時にフィルタケース１外に油が排出しないようにエレメント２をゆっくり引上げると、その分だけ、エレメント２の交換作業能率が低下する。
（３）エレメント２に着脱自在に装着されたゴミ排出用リップ３は、エレメント交換時に外して新エレメントに再使用するようにしているが、エレメントと一緒に捨てる可能性があり不経済である。
【０００５】
本発明は上記従来の問題点に着目してなされたもので、エレメントの交換時にフィルタケースの外回りを汚すことなく、エレメントの交換作業能率を向上できるオイルフィルタを提供することを目的とする。
【０００６】
【課題を解決するための手段及び作用効果】
上記目的を達成するために、第１の発明に係るオイルフィルタは、フィルタケース内に円筒状のエレメントを装着し、フィルタケース入口に供給された油をエレメント外周面からエレメント内周面に通過させて濾過したのち、フィルタケース出口から排出するオイルフィルタにおいて、エレメント内周面の内方に配置されてエレメント内周面からフィルタケース出口に連通する流路にストレーナを介設し、ストレーナ下端部を固定してシールする取付部とストレーナ内周面より小さい直径の中心孔とを有する底板と、底板に固着されてフィルタケース内周面に当接するシールとを備えたことを特徴とする。
【０００７】
第１の発明によれば、エレメント交換時にフィルタケースからエレメントを取出すと、エレメント外周面に付着した土砂やゴミ等の塵埃がフィルタケースの下方に移動するが、エレメントからフィルタケース出口に連通する流路に介設したストレーナにより濾過されてストレーナよりフィルタケース出口側にある濾過後の油中に移動することはない。このため、エレメント交換時に濾過後の油の清浄度を確実に維持することができる。
また、リリーフ弁７を介してエレメント２をバイパスした油はストレーナで濾過されてフィルタケース出口側には濾過後のきれいな油が排出される。このため、リリーフ弁７を介してエレメント２をバイパスする油専用のストレーナを別に設置する必要がないためコストが低減される。
【０００８】
また、底板に固着されたシールによりエレメント外周面より上流の油がフィルタケース出口に洩れることがない。このため、エレメント外周面より上流の油はエレメントを確実に通過してフィルタケース出口から排出される油の清浄度を確実に維持する。
また、エレメントの交換時にエレメントをフィルタケースから取出した後、ストレーナを引上げると底板に固着されてフィルタケース内周面に当接するシールによってフィルタケース内周面に付着した土砂やゴミ等の塵埃を一緒に掻き出して取出すことができる。このため、従来と同様に、フィルタケース内周面に付着した土砂やゴミ等の塵埃を拭き取る手間や、清掃作業による衣服や手等の汚れをなくすことができる。
また、ストレーナを早く引上げてもストレーナはエレメントに比較してメッシュが粗いため、フィルタケース内周面とストレーナ外周面との間の油はストレーナを容易に通過するためフィルタケースの上端から溢れることがない。このため、エレメントの交換作業能率を向上できる。
このときには、エレメント外周面に付着した塵埃及びフィルタケース内周面に付着した塵埃を含んだ油はストレーナにより濾過されてストレーナよりフィルタケース出口側にある濾過後の油中に移動することはない。このため、エレメント交換時に濾過後の油の清浄度を確実に維持することができる。
【０００９】
第２の発明に係るオイルフィルタは、第１の発明において、前記底板に固着されたシールは、フィルタケース内周面とフィルタケース底面とに当接することを特徴とする。
第２の発明によれば、第１の発明と同様の作用効果が得られる。
【００１０】
第３の発明に係るオイルフィルタは、第１又は第２の発明において、底板は、ストレーナ下端部の取付部と中心孔とを有する平面部と、平面部の上面に当接するエレメント下端面の外径位置近傍から平面部の上方外方に延在するフランジ部とを備えたことを特徴とする。
【００１１】
第３の発明によれば、エレメント下端面を底板に当接させるときに、エレメント下端面の外径が底板のフランジ部に案内されるため、エレメント下端面がスムーズ、かつ、容易に底板に当接する。このため、エレメントをフィルタケースへ装着する作業が容易になる。
【００１２】
【発明の実施の形態】
以下に、本発明の各実施形態を図１〜３を参照して詳述する。
先ず、図１，２（Ａ），（Ｂ）に基づいて第１実施形態の構成を説明する。
なお、従来の技術と同様な要素には同一符号を付しその説明を省略する。
図において、オイルフィルタ１０は次のように構成される。
円筒状のフィルタケース１には、濾過する油を供給するフィルタケース入口１ｃと、濾過された油を排出するフィルタケース出口１ｄとが形成される。
フィルタケース内周面１ａから所定距離をおいて円筒状のエレメント２が同心に配置され、さらに、エレメント内周面２ｄから所定距離をおいて円筒状のフィルタ１１が同心に配置される。
また、フィルタケース底面１ｂ上に配置された底板１２を形成する平面部１２ａの上面には、ストレーナ下端部１１ａを取付ける内筒１３ａ（取付部１３の一例）及び外筒１３ｂ（取付部１３の一例）が固定されると共に、中心部にはストレーナ内周面１１ｂより小さい直径の中心孔１２ｂが形成される。また、平面部１２ａの上面に当接するエレメント下端面２ｂの外径位置近傍からは平面部１２ａの上方外方に延在するフランジ部１２ｃが形成される。
【００１３】
図２（Ｂ）により内筒１３ａ及び外筒１３ｂに対するストレーナ下端部１１ａの取付関係について説明する。
ストレーナ１１は強度を維持する内側の金属円筒１１ｃとその外周に６０メッシュの濾紙１１ｄを有し、金属円筒１１ｃには多数の通油孔１１ｅ（図２（Ａ）参照）が形成される。
内筒１３ａ及びストレーナ下端部１１ａの一つの直径位置に、内筒１３ａ及びストレーナ下端部１１ａの金属円筒１１ｃと濾紙１１ｄとを貫通するボルト孔が形成される。このボルト孔に対応する外筒１３ｂの位置に形成されたねじ孔１３ｃにボルト１４をねじ込んで内筒１３ａ及び外筒１３ｂにストレーナ下端部１１ａを固定する。このようにして、エレメント内周面２ｄの内方でエレメント内周面２ｄからフィルタケース出口１ｄに連通する流路にストレーナ１１が介設される。また、底板１２のフランジ部１２ｃ及びフランジ部１２ｃに連続する平面部１２ａの下面には、フィルタケース内周面１ａとフィルタケース底面１ｂとに当接するシール１４が固着され、ストレーナ内周面１１ｂと内筒１３ａとの嵌合によりこの部分のシールを構成する。また、フィルタケース内周面１ａ内からストレーナ１１を取出し易くするためにストレーナ１１の上部には把手１５が固定される。その他の構成については従来技術と同様である。
【００１４】
第１実施形態の作用及び効果を説明する。
（１）エレメント２の清掃又は交換時には従来技術と同様に、フィルタケース１の上端面に締付けた蓋４を取外して、エレメント２をフィルタケース１から取出した後、把手１５を持ってストレーナ１１を引上げると底板１２に固着されたシール１４によってフィルタケース内周面１ａとエレメント外周面２ｃとに付着した土砂やゴミ等の塵埃を一緒に掻き出して取出すことができる。このため、従来と同様に、フィルタケース内周面１ａに付着した土砂やゴミ等の塵埃を拭き取る手間や、清掃作業による衣服や手等の汚れをなくすことができる。
（２）ストレーナ１１は６０メッシュであり、２５０メッシュのエレメント２に比較して粗いため、ストレーナ１１を早く引上げてもフィルタケース内周面１ａとストレーナ外周面２ｃとの間の油はストレーナ１１を容易に通過する。従って、フィルタケース１の上端から油が溢れることがないため、エレメント２の交換作業能率を向上できる。
（３）このときには、エレメント外周面２ｃから遊離した塵埃及びフィルタケース内周面１ａから掻き出された塵埃を含んだ油はストレーナ１１により濾過されて濾過後の油中に移動することはない。特に、エレメント２の清掃又は交換時はストレーナ１１に作用する差圧は油の重力だけであり、低圧であるためにいわゆる濾紙の吹抜け現象が防止されて濾過後の油の清浄度を確実に維持することができる。
【００１５】
（４）また、リリーフ弁７を介してエレメント２をバイパスした油はストレーナ１１で濾過されてフィルタケース出口側１ｄには濾過後のきれいな油が排出される。このため、リリーフ弁７を介してエレメント２をバイパスする油専用のストレーナを別に設置する必要がないためコストが低減される。
（５）底板１２に固着されたシール１４によりエレメント外周面１２ｃより上流の油がフィルタケース出口１ｄ側に洩れることがない。このため、エレメント外周面２ｃより上流の油はエレメント２を確実に通過してフィルタケース出口１ｄから排出される油の清浄度を確実に維持する。
（６）エレメント下端面２ｂを底板１２に当接させるときに、エレメント下端面２ｂの外径が底板１２のフランジ部１２ｃに案内されるため、エレメント下端面２ａがスムーズ、かつ、容易に底板１２に当接する。このため、エレメント２をフィルタケース１へ装着する作業が容易になる。
【００１６】
次に、図３（Ａ），（Ｂ）に基づいて第２実施形態の構成を説明する。
第１実施形態と異なる構成は、図において、平面部１２ａに溶接された内筒１３ｃ（取付部１３の一例）及び外筒１３ｄの間にはストレーナ下端部１１ａが挿入されてストレーナ下端部１１ａと内筒１３ｄの嵌合部は溶接により固定されている。このようにして、エレメント内周面２ｄの内方でエレメント内周面２ｄからフィルタケース出口１ｄに連通する流路にストレーナ１１が介設される。
また、底板１２のフランジ部１２ｃとこれに連続する平面部１２ａとには第１実施形態より幅広くフィルタケース内周面１ａに当接すると共に、フィルタケース底面１ｂに当接するシール１４ａが固着される。その他の構成は第１実施形態と同様である。
【００１７】
第２実施形態の作用及び効果を説明する。
第１実施形態と同様な作用及び効果に加えて、下記のような第２実施形態特有の作用及び効果が得られる。
シール１４ａは第１実施形態より幅広くフィルタケース内周面１ａに当接するため、底板１２を引上げるときに傾き難くなり確実に底板１２を引上げることができる。このため、フィルタの保守作業能率が向上する
【００１８】
以上、本発明の構成によれば次のような効果を奏する。
（１）ストレーナを引上げると底板に固着されてシールによってフィルタケース内周面に付着した塵埃を一緒に掻き出すことができるため、フィルタケース内周面に付着した塵埃を拭き取る手間や、清掃作業による衣服や手等の汚れをなくすことができる。
（２）ストレーナはエレメントに比較して粗いため、ストレーナを早く引上げてもフィルタケース内周面とストレーナ外周面との間の油はストレーナを容易に通過する。従って、フィルタケースの上端から油が溢れることがないためエレメントの交換作業能率を向上できる。
（３）このときには、エレメント外周面から遊離れた塵埃及びフィルタケース内周面から掻き出された塵埃を含んだ油はストレーナにより濾過されて濾過後の油中に移動することはない。特に、エレメントの清掃又は交換時にストレーナに作用する差圧は油の重力だけであり、低圧であるためにいわゆる濾紙の吹抜け現象が防止されて濾過後の油の清浄度を確実に維持することができる。
（４）リリーフ弁を介してエレメントをバイパスする油専用のストレーナを別に設置する必要がないためコストが低減される。
（５）底板に固着されたシールによりエレメント外周面より上流の油がフィルタケース出口側に洩れることがない。このため、エレメント外周面より上流の油はエレメントを確実に通過してフィルタケース出口から排出される油の清浄度を確実に維持する。
（６）エレメント下端面を底板に当接させるときに、エレメント下端面の外径が底板のフランジ部に案内されるため、エレメント下端面がスムーズ、かつ、容易に底板に当接する。このため、エレメントをフィルタケースへ装着する作業が容易になる。
【図面の簡単な説明】
【図１】本発明に係る第１実施形態を示す図である。
【図２】図１に示すストレーナの詳細図で、（Ａ）は全体図、（Ｂ）は（Ａ）のＰ部詳細図である。
【図３】本発明に係る第２実施形態を示す図である。
【図４】従来のオイルフィルタを示す図である。
【図５】図４に示すオイルフィルタの取出し状態を示す図である。
【符号の説明】
１；フィルタケース、  １ａ；フィルタケース内周面、  １ｂ；フィルタケース底面、  １ｃ；フィルタケース入口、  １ｄ；フィルタケース出口、  ２；エレメント、  ２ａ；エレメント上端面、  ２ｂ；エレメント下端面、  ２ｃ；エレメント外周面、  ２ｄ；エレメント内周面、  ４；蓋、  ５；セツトばね、６；リリーフ孔、  ７；リリーフ弁、  ８；設定ばね、  １０；オイルフィルタ、  １１；ストレーナ、  １１ａ；ストレーナ下端部、  １１ｂ；ストレーナ内周面、  １１ｃ；金属円筒、  １１ｄ；濾紙、  １１ｅ；通油孔、  １１ｆ；雌ねじ、  １２；底板、  １２ａ；平面部、  １２ｂ；中心孔、  １２ｃ；フランジ部、  １３ａ，１３ｃ；内筒（取付部１３の一例）、  １３ｂ，１３ｄ；外筒（取付部１３の一例）、  １４，１４ａ；シール、  １５；把手
【図１】
0003891381.tif 000002
【図２】
0003891381.tif 000003
【図３】
0003891381.tif 000004
【図４】
0003891381.tif 000005
【図５】
0003891381.tif 000006